(57)【要約】      （修正有）【課題】乳幼児健診及び予防接種のために医療機関を訪れる回数を低減でき、且つ、あらゆる制約に十分に適応するスケジュールを作成するプログラム、方法及びシステムを提供する。【解決手段】スケジュール作成サーバ１において、乳幼児健診の１又は複数の受診予定日と予防接種の１又は複数の接種予定日のスケジュールを作成するコンピュータ（制御装置１１）を、スケジュールの作成の要求を受け付ける受付部１３及び受け付けた要求に基づいて、乳幼児健診及び予防接種の対象者が乳幼児健診を受診する際の所定の受診制約条件と、対象者が予防接種を受ける際の所定の接種制約条件と、を満たし、１又は複数の受診予定日と１又は複数の接種予定日が少なくとも１日重複するスケジュールを作成するスケジュール作成部１５、として機能させる。【選択図】図１
2020052984.tif 000002
【特許請求の範囲】
【請求項１】
乳幼児健診の１又は複数の受診予定日と予防接種の１又は複数の接種予定日のスケジュールを作成するコンピュータを、
前記スケジュールの作成の要求を受け付ける受付部、及び、
受け付けた前記要求に基づいて、前記乳幼児健診及び前記予防接種の対象者が前記乳幼児健診を受診する際の所定の受診制約条件と、前記対象者が前記予防接種を受ける際の所定の接種制約条件と、を満たし、前記１又は複数の受診予定日と前記１又は複数の接種予定日が少なくとも１日重複するスケジュールを作成するスケジュール作成部、
として機能させるプログラム。
【請求項２】
前記受付部は、前記１又は複数の受診予定日と前記１又は複数の接種予定日が少なくとも１日重複させるための重複条件を更に受け付け、
前記スケジュール作成部は、前記対象者が複数人の場合に、前記対象者ごとに、前記重複条件を満たすときに、第１対象者に関連づけられるスケジュールに含まれる１又は複数の受診予定日及び１又は複数の接種予定日のうち少なくとも１日と、第２対象者に関連づけられるスケジュールに含まれる１又は複数の受診予定日及び１又は複数の接種予定日のうち少なくとも１日と、を重複させる、
請求項１に記載のプログラム。
【請求項３】
前記対象者の生年月日に基づいて予め設定された前記乳幼児健診の１又は複数の受診予定日と、前記生年月日に基づいて予め設定された前記予防接種の１又は複数の接種予定日と、を記録する記録部として前記コンピュータを機能させ、
前記スケジュール作成部は、受け付けた前記要求に基づいて、前記受診制約条件を満たすように、予め設定された前記乳幼児健診の１又は複数の受診予定日を調整し、前記接種制約条件を満たすように、予め設定された前記予防接種の１又は複数の接種予定日を調整する、
請求項１又は２に記載のプログラム。
【請求項４】
乳幼児健診の１又は複数の受診予定日と予防接種の１又は複数の接種予定日のスケジュールを、コンピュータを用いて作成するスケジュール作成システムであって、
前記スケジュールの作成の要求を受け付ける受付部と、
受け付けた前記要求に基づいて、前記乳幼児健診及び前記予防接種の対象者が前記乳幼児健診を受診する際の所定の受診制約条件と、前記対象者が前記予防接種を受ける際の所定の接種制約条件と、を満たし、前記１又は複数の受診予定日と前記１又は複数の接種予定日が少なくとも１日重複するスケジュールを作成するスケジュール作成部と、
を備える、スケジュール作成システム。
【請求項５】
乳幼児健診の１又は複数の受診予定日と予防接種の１又は複数の接種予定日のスケジュールを作成するコンピュータが、
前記スケジュールの作成の要求を受け付けるステップと、
受け付けた前記要求に基づいて、前記乳幼児健診及び前記予防接種の対象者が前記乳幼児健診を受診する際の所定の受診制約条件と、前記対象者が前記予防接種を受ける際の所定の接種制約条件と、を満たし、前記１又は複数の受診予定日と前記１又は複数の接種予定日が少なくとも１日重複するスケジュールを作成するステップと、
を実行する、スケジュール作成方法。
【発明の詳細な説明】
【技術分野】
【０００１】
本開示は、乳幼児健診と予防接種のスケジュールを作成するプログラム、スケジュール作成方法、及びスケジュール作成システムに関する。
【背景技術】
【０００２】
乳幼児は多くのワクチンの接種を受ける必要があり、それぞれ受けるべき時期や回数も異なるため、保護者にとって管理の負担が大きく、適切な接種の時期を逃してしまうこともあった。このため、適切な時期に必要な予防接種を受けるためのスケジュールを管理するシステムが利用されるようになっている。（例えば、特許文献１及び特許文献２）
【０００３】
また、乳幼児は、母子保健法の規定により市区町村の自治体等が乳幼児に対して行う健康診査である乳幼児健診を受診する必要がある。
【先行技術文献】
【特許文献】
【０００４】
【特許文献１】特開２００７−０１８３３７号公報
【特許文献２】特開２０１２−０５９１５５号公報
【発明の概要】
【発明が解決しようとする課題】
【０００５】
特許文献１、２に記載された従来のシステムは、予防接種の接種予定日に加えて乳幼児健診の受診予定日を考慮した、効率的に医療機関を訪れるためのスケジュールを作成することができないので、乳幼児及びその保護者が、何度も医療機関を訪れる必要がある。
【０００６】
また、予防接種及び乳幼児健診のスケジュールを作成する際には様々な制約がある。予防接種においては、所定の規定により各ワクチンの接種可能間隔や同時接種可能なワクチン等が予め定められている。乳幼児健診においても、所定の規定により乳幼児の誕生日から３又は４か月後、６又は７か月後、９又は１０か月後というように、所定のタイミングで病院や保健相談所等の医療機関において受診しなければならない。さらに、医師又は医療機関によっては、予防接種において、同時接種可能なワクチンを別途定めるといった独自の方針を設けている場合もあるし、乳幼児健診において、乳幼児の実際の成長状況に応じて健診日を調整するように指示する場合がある。このように、予防接種及び乳幼児健診のスケジュールを作成する際には様々な制約が存在するため、すべての制約に応じたスケジュールを作成することは困難を極める。
【０００７】
そこで本発明の一実施形態は、乳幼児健診及び予防接種のために医療機関を訪れる回数を低減でき、且つ、あらゆる制約に十分に適応するスケジュールを作成することが可能なプログラム、スケジュール作成方法、及びスケジュール作成システムを提供することを目的とする。
【課題を解決するための手段】
【０００８】
本発明の一実施形態に係るプログラムは、乳幼児健診の１又は複数の受診予定日と予防接種の１又は複数の接種予定日のスケジュールを作成するコンピュータを、スケジュールの作成の要求を受け付ける受付部、及び、受け付けた要求に基づいて、乳幼児健診及び予防接種の対象者が乳幼児健診を受診する際の所定の受診制約条件と、対象者が予防接種を受ける際の所定の接種制約条件と、を満たし、１又は複数の受診予定日と１又は複数の接種予定日が少なくとも１日重複するスケジュールを作成するスケジュール作成部、として機能させる。
【０００９】
本発明の一実施形態に係るスケジュール作成方法は、乳幼児健診の１又は複数の受診予定日と予防接種の１又は複数の接種予定日のスケジュールを作成するコンピュータが、スケジュールの作成の要求を受け付けるステップと、受け付けた要求に基づいて、乳幼児健診及び予防接種の対象者が乳幼児健診を受診する際の所定の受診制約条件と、対象者が予防接種を受ける際の所定の接種制約条件と、を満たし、１又は複数の受診予定日と１又は複数の接種予定日が少なくとも１日重複するスケジュールを作成するステップと、を実行する。
【００１０】
本発明の一実施形態に係るスケジュール作成システムは、乳幼児健診の１又は複数の受診予定日と予防接種の１又は複数の接種予定日のスケジュールを、コンピュータを用いて作成するスケジュール作成システムであって、スケジュールの作成の要求を受け付ける受付部と、受け付けた要求に基づいて、乳幼児健診及び予防接種の対象者が乳幼児健診を受診する際の所定の受診制約条件と、対象者が予防接種を受ける際の所定の接種制約条件と、を満たし、１又は複数の受診予定日と１又は複数の接種予定日が少なくとも１日重複するスケジュールを作成するスケジュール作成部と、を備える。
【００１１】
本発明の一実施形態において、「部」とは、単に物理的手段を意味するものではなく、その「部」が有する機能をソフトウェアによって実現する場合も含む。また、１つの「部」や装置が有する機能が２つ以上の物理的手段や装置により実現されても、２つ以上の「部」や装置の機能が１つの物理的手段や装置により実現されても良い。
【発明の効果】
【００１２】
本発明の一実施形態によれば、乳幼児健診及び予防接種のために医療機関を訪れる回数を低減でき、且つ、あらゆる制約に十分に適応するスケジュールを作成することができる。
【図面の簡単な説明】
【００１３】
【図１】本発明の一実施の形態に係るスケジュール作成システムの構成の一例を示すブロック図。
【図２】本発明の一実施の形態に係るスケジュール作成システムによるスケジュール作成処理の一例を示すシーケンス図。
【発明を実施するための形態】
【００１４】
以下、添付図面を参照しながら本発明の実施の形態について説明する。以下の実施の形態は、本発明を説明するための例示であり、本発明をその実施の形態のみに限定する趣旨ではない。また、本発明は、その要旨を逸脱しない限り、様々な変形が可能である。さらに、各図面において同一の構成要素に対しては可能な限り同一の符号を付し、重複する説明は省略する。
【００１５】
図１は、本発明の一実施の形態に係る、乳幼児健診の１又は複数の受診予定日と予防接種の１又は複数の接種予定日のスケジュールを作成するスケジュール作成システムの構成を示すブロック図である。図１に示すように、スケジュール作成システム１００は、例示的に、スケジュール作成サーバ１と、ｎ台（ｎは１以上の任意の整数値）の携帯端末３と、を備えている。スケジュール作成サーバ１と携帯端末３とは、通信ネットワークＮを介して接続されている。図中には、ｎ台の携帯端末３として、携帯端末３ａ及び携帯端末３ｎを図示している。ただし、以下の説明において、これらｎ台の携帯端末を区別することなく説明する場合には、符号を一部省略して、単に「携帯端末３」と呼ぶ。通信ネットワークＮは、例えば、インターネット、ＬＡＮ、専用線、電話回線、企業内ネットワーク、移動体通信網、ブルートゥース（登録商標）、ＷｉＦｉ（Wireless Fidelity）、その他の通信回線、それらの組み合わせ等のいずれであってもよく、有線であるか無線であるかを問わない。
【００１６】
スケジュール作成システム１００は、いわゆるクライアント・サーバシステムである。スケジュール作成システム１００は、クライアントであるｎ台の携帯端末３と、スケジュール作成サーバ１とがネットワークＮを介して相互に通信を行うことにより実現される。
【００１７】
図１に示すように、スケジュール作成サーバ１は、例えば、サーバ装置により実現され、例示的に、制御装置１１と記録装置１７とを備えている。制御装置１１は、ハードウェアとして、ＣＰＵ、ＲＯＭやＲＡＭ等のメモリ、入力インタフェース、出力インタフェース、通信インタフェース及びこれらを結ぶバス等を備えている。制御装置１１は、ＣＰＵがＲＯＭ等に格納されたプログラムを実行することにより各種機能を実現する。制御装置１１によって実現される機能モジュールには、例示的に、受付部１３とスケジュール作成部１５とが含まれる。スケジュール作成サーバ１は、１台のコンピュータで構成される必要はなく、通信ネットワークＮ上に分散する複数のコンピュータや外部記憶装置から構成されてもよい。
【００１８】
記録装置１７は、例えばハードディスクドライブ等であり、各種情報を記録する機能を有する。記録装置１７は、例示的に、ワクチン情報ＶＩと、接種制約条件情報ＩＩと、乳幼児健診情報ＥＩと、受診制約条件情報ＡＩと、スケジュール作成条件情報ＳＩと、を記録する。また、記録装置１７は、スケジュール作成サーバ１の一部の構成であってもよいし、例えば、外部記録装置として、スケジュール作成サーバ１には含まれない装置であってもよい。
【００１９】
ワクチン情報ＶＩは、予防接種の１又は複数の接種予定日の設定又は更新のために必要な情報である。ワクチン情報ＶＩは、例えば、ワクチン名、接種日の算出方法（「誕生日の２ヶ月以降から接種可能と算出する」等）、接種が可能な間隔（「２０日以上の間隔で３回」等）、定期の予防接種実施要領（厚生労働省健康局長通知）の規定に定められた標準的な接種間隔（「２０〜５０日の間隔で３回」等）、定期接種として接種が可能な期間（「生後３ヶ月〜７歳６ヶ月」等）、及び、同時接種可能なワクチンの組み合わせ等の情報を含む。また、ワクチン情報ＶＩは、対象となる疾患は同じだが、ワクチンの種類としては複数あり、同じ種類のものを複数回にわたって接種しなければならないワクチン（例えばロタウィルスワクチン等）に関する情報を更に含んでもよい。なお、ワクチン情報ＶＩは、対象者ごとにワクチンの接種履歴を更に記録しており、当該接種履歴を用いてスケジュール作成が実行されてもよい。
【００２０】
接種制約条件情報ＩＩは、乳幼児健診及び予防接種の対象者が予防接種を受ける際の制約条件を示す情報である。接種制約条件情報ＩＩは、医師、医療機関又は自治体ごとに定められているワクチン接種のための制約条件情報を含み、例えば、医師、医療機関又は自治体において独自に定めているワクチンの接種時期、接種が可能な間隔、集団接種の有無、同時接種可能なワクチンの組み合わせ、助成の対象となるか否か等の情報を含む。また、接種制約条件情報ＩＩは、対象者の成長状況、現在又は過去の健康情報、及び、アレルギー情報等の少なくとも一つに基づく接種の可否、接種時期、又は接種可能間隔等に関する情報を更に含んでもよい。
【００２１】
乳幼児健診情報ＥＩは、乳幼児健診の１又は複数の受診予定日の設定又は更新のために必要な情報である。乳幼児健診情報ＥＩは、例えば、健診名、健診内容、及び、母子保健法の規定に定められた標準的な受診期間（例えば、誕生日から３〜４か月、誕生日から６〜７か月、誕生日から９〜１０か月、誕生日から１歳６か月〜２歳未満、誕生日から３〜４歳等）等の情報を含む。なお、乳幼児健診情報ＥＩは、対象者ごとに、過去に受診した健診受診履歴情報を更に記録しており、当該受診履歴を用いてスケジュール作成が実行されてもよい。
【００２２】
受診制約条件情報ＡＩは、乳幼児健診及び予防接種の対象者が乳幼児健診を受診する際の受診制約条件を示す情報である。受診制約条件情報ＡＩは、医師、医療機関又は自治体ごとに定められている乳幼児健診のための制約条件情報を含み、例えば、医師、医療機関又は自治体において独自に定めている受診期間、及び、健診内容等の情報を含む。受診制約条件情報ＡＩは、対象者の成長状況、及び、現在又は過去の健康情報等の少なくとも一方に基づく受診期間に関する情報を更に含んでもよい。より具体的には、医師等が対象者の成長状況が一般的な又は平均的な成長推移と比較して良くないと判断する場合は、通常、対象者の誕生日から６〜７か月に受診する健診を誕生日から８か月に受診する等の受診期間の調整が行われる。
【００２３】
スケジュール作成条件情報ＳＩは、乳幼児健診の１又は複数の受診予定日と予防接種の１又は複数の接種予定日を含むスケジュールを作成するための条件を示す情報である。スケジュール作成条件情報ＳＩは、例えば、乳幼児健診の１又は複数の受診予定日と予防接種の１又は複数の接種予定日が少なくとも１日重複させるための重複条件を示す情報を含む。また、重複条件は、対象者が複数人の場合に、第１対象者に関連づけられるスケジュールに含まれる１又は複数の受診予定日及び１又は複数の接種予定日のうち少なくとも１日と、第２対象者に関連づけられるスケジュールに含まれる１又は複数の受診予定日及び１又は複数の接種予定日のうち少なくとも１日と、を重複させる条件を含む。
【００２４】
制御装置１１の受付部１３は、乳幼児健診の１又は複数の受診予定日と予防接種の１又は複数の接種予定日のスケジュールの作成の要求を受け付ける。スケジュール作成部１５は、乳幼児健診及び予防接種の対象者が乳幼児健診を受診する際の所定の受診制約条件と、対象者が予防接種を受ける際の所定の接種制約条件と、を満たし、１又は複数の受診予定日と１又は複数の接種予定日が少なくとも１日重複するスケジュールを作成するように構成される。
【００２５】
携帯端末３は、通信ネットワークＮを介してスケジュール作成サーバ１と通信が可能な端末であり、例えば、利用者（乳幼児健診及び予防接種の対象者である乳幼児の保護者等）が用いる、スマートフォン、携帯電話、タブレット端末、ノートＰＣ（パーソナルコンピュータ）、携帯情報端末（ＰＤＡ）、ウェアラブルデバイスなど等の機器である。携帯端末３は、例えば、プロセッサ、キーボードやマウス、各種操作ボタンやタッチパネルなどの入力装置、液晶ディスプレイなどの表示装置、通信ネットワークＮに接続するための通信インタフェース、ディスクドライブまたは半導体メモリ（ＲＯＭ、ＲＡＭなど）などの記憶資源を備えている。記憶資源には、プロセッサが実行するコンピュータプログラム（例えば、スケジュール作成アプリケーション）が記憶されている。本明細書において、スケジュール作成アプリケーションとは、携帯端末３に記憶され、スケジュール作成サーバ１と通信を行うコンピュータプログラムであって、乳幼児健診の１又は複数の受診予定日と予防接種の１又は複数の接種予定日のスケジューリング等の管理を可能とするコンピュータプログラムである。
【００２６】
また、スケジュール作成アプリケーションは、いわゆる電子母子手帳と呼ばれるアプリケーションの機能の一部であってもよい。これにより、電子母子手帳を利用している利用者のデータを、スケジュール作成アプリケーションにおいても用いることができるため、接種希望者及び乳幼児健診希望者の少なくとも一方の情報を入力する手間を低減することができる。さらに、乳幼児健診及び予防接種の対象者の健康情報を管理することができる。
【００２７】
（スケジュール作成処理）
図１に示すスケジュール作成システム１００による、乳幼児健診の１又は複数の受診予定日と予防接種の１又は複数の接種予定日のスケジュール作成処理について、図２のシーケンス図を用いて説明する。
【００２８】
（ステップＳ１）
まず、利用者（例えば、乳幼児健診及び予防接種の対象者である乳幼児の保護者）が、自身が用いる携帯端末３を操作してスケジュール作成アプリケーションを起動すると、携帯端末３からスケジュール作成サーバ１に利用者情報が送信される。スケジュール作成サーバ１は、利用者情報に応じたワクチンの一覧情報と乳幼児健診の一覧情報とを携帯端末３に送信する。
【００２９】
利用者情報には、例えば、乳幼児健診及び予防接種の対象者である乳幼児の氏名、生年月日、医療機関、住所または居住する自治体等の情報が含まれる。これらの情報は予め利用者ＩＤなどと紐づけて登録し、スケジュール作成アプリケーションにログインした際にスケジュール作成サーバ１に送信されるようにしてもよい。
【００３０】
このワクチンの一覧情報は、例えば、対象者が接種すべきワクチンと、それらのワクチンの接種可能な時期、接種状況（接種が済んでいるかどうか、複数回接種するものについては何回接種しているか。）等の情報を含む。対象者が接種すべきワクチンの情報は、例えば、スケジュール作成サーバ１のワクチン情報ＶＩとして記録部１７に記録されている。ワクチンの接種可能な時期についての情報は、例えば、スケジュール作成サーバ１に記録されているワクチン情報ＶＩを元に、スケジュール作成サーバ１が、対象者の生年月日と過去の接種状況に基づいて生成することができる。接種可能な時期は、スケジュール作成サーバ１に記録されているワクチン情報ＶＩとしての「接種日の算出方法」の情報に基づいて算出する。対象者の過去の接種状況には、対象者が過去に接種したワクチンと接種回数、接種日、接種を行った医療機関等の情報等が含まれる。なお、過去の接種状況の情報は、スケジュール作成サーバ１が対象者毎に管理してもよいし、携帯端末３で保持し利用者情報と共にスケジュール作成サーバ１０に送信するようにしてもよい。
【００３１】
乳幼児健診の一覧情報は、スケジュール作成サーバ１に記録されている乳幼児健診情報ＥＩに基づいて生成することができる。乳幼児健診の一覧情報は、例えば、対象者が受診すべき乳幼児健診と、それらの乳幼児健診の受診可能な時期、受診状況（受診が済んでいるかどうか等）等の情報を含む。
【００３２】
（ステップＳ３）
携帯端末３は、スケジュール作成サーバ１から受信したワクチンの一覧情報と乳幼児健診の一覧情報を用いて、スケジュール作成画面を表示させる。スケジュール作成画面には、例えば、ワクチンの一覧が表示され、接種の完了状況、まだ接種していないワクチンについての利用者毎に算出された接種可能時期の情報が表示される。また、スケジュール作成画面には、例えば、乳幼児健診の一覧が表示され、健診の受診完了状況、まだ受診していない健診についての利用者毎に算出された受診可能時期の情報が表示される。
【００３３】
（ステップＳ５）
利用者は、携帯端末３を操作して、接種を希望する１又は複数のワクチンと、受診を希望する１又は複数の乳幼児健診と、を指定し、スケジュール作成要求操作（要求ボタンの操作等）を行う。携帯端末３は、スケジュール作成サーバ１に、スケジュール作成の要求情報（接種を希望する１又は複数のワクチンと、受診を希望する１又は複数の乳幼児健診と、を含む情報）を送信する。
【００３４】
（ステップＳ７）
図１に示すスケジュール作成サーバ１の受付部１３は、乳幼児健診の１又は複数の受診予定日と予防接種の１又は複数の接種予定日のスケジュールの作成の要求を受け付ける。スケジュール作成部１５は、要求を受け付けると、記録部１７に記録されている各種条件情報、例えば、接種制約条件情報ＩＩと、受診制約条件情報ＡＩと、スケジュール作成条件情報ＳＩと、を取得する。
【００３５】
（ステップＳ９）
図１に示すスケジュール作成部１５は、乳幼児健診及び予防接種の対象者が乳幼児健診を受診する際の所定の受診制約条件と、対象者が予防接種を受ける際の所定の接種制約条件と、を満たし、１又は複数の受診予定日と１又は複数の接種予定日が少なくとも１日重複するスケジュールを作成する。例えば、スケジュール作成部１５は、受け付けた要求に基づいて、記録部１７に記録されている仮スケジュールを取得する。具体的には、スケジュール作成部１５は、記録部１７から、対象者の生年月日に基づいて予め設定された乳幼児健診の１又は複数の受診予定日と、対象者の生年月日に基づいて予め設定された予防接種の１又は複数の接種予定日と、を取得する。スケジュール作成部１５は、取得した受診制約条件を満たすように、予め設定された乳幼児健診の１又は複数の受診予定日を調整し、取得した接種制約条件を満たすように、予め設定された予防接種の１又は複数の接種予定日を調整する。ここで、スケジュール作成部１５は、予め設定された受診予定日の調整を、予め設定された接種予定日の調整よりも先に実行してもよいし、予め設定された接種予定日の調整を、予め設定された受診予定日の調整よりも先に実行してもよい。
【００３６】
次に、スケジュール作成部１５は、スケジュール作成条件情報ＳＩに含まれる、１又は複数の受診予定日と１又は複数の接種予定日が少なくとも１日重複させるための重複条件に基づいて、１又は複数の受診予定日と１又は複数の接種予定日が少なくとも１日重複するスケジュールを作成する。例えば、重複条件は、１又は複数の受診予定日のうち特定の受診予定日と、１又は複数の接種予定日のうち特定の接種予定日との間隔がＮ日（例えば、Ｎは１以上の任意の整数値）以下である場合は、当該特定の受診予定日と、当該特定の接種予定日とか同日となるように、当該特定の受診予定日及び当該特定の接種予定日の少なくとも一方が調整される場合の条件を示す。他方、重複条件は、１又は複数の受診予定日のうち特定の受診予定日と、１又は複数の接種予定日のうち特定の接種予定日との間隔がＮ日より空いている場合は、当該特定の受診予定日と、当該特定の接種予定日とを調整しない場合の条件を示す。重複条件は、受診予定日と接種予定日との間隔に関するものに限られず、受診予定時間（時刻）と接種予定時間（時刻）との間隔に関するもので設定されてもよい。
【００３７】
なお、重複条件は、スケジュールを作成する必要がある対象者が複数人の場合にも適用可能である。例えば、スケジュール作成部１５は、対象者が複数人の場合に、対象者ごとに、当該重複条件（１又は複数の受診予定日のうち特定の受診予定日と、１又は複数の接種予定日のうち特定の接種予定日との間隔がＮ日以下であるか否か）を満たすときに、第１対象者に関連づけられるスケジュールに含まれる１又は複数の受診予定日及び１又は複数の接種予定日のうち少なくとも１日と、第２対象者に関連づけられるスケジュールに含まれる１又は複数の受診予定日及び１又は複数の接種予定日のうち少なくとも１日と、を重複させる。
【００３８】
この構成によれば、予防接種や乳幼児健診の対象者が兄弟姉妹など複数人いる場合にも、乳幼児健診及び予防接種のために医療機関を訪れる回数を低減できるスケジュールを効率的に作成することができる。
【００３９】
（ステップＳ１１）
スケジュール作成サーバ１は、携帯端末３に、スケジュール作成が完了した旨のメッセージとスケジュール情報（例えば、接種予定日及び受診予定日が記載されたカレンダー情報等）を送信する。
【００４０】
（ステップＳ１３）
携帯端末３は、受信したスケジュール情報を表示装置に表示する。このスケジュール情報は、スケジュール作成アプリケーションに保存され、予防接種の接種予定日（又は接種予定日時）及び乳幼児健診の受診予定日（又は受診予定日時）のスケジュールとして管理するようにしてもよい。スケジュール作成アプリケーションは、接種予定日又は受診予定日が近づいた場合（例えば予定日の３日前等）にアラートを出して、利用者にスケジュールの内容を知らせるようにしてもよい。
【００４１】
以上のように本実施形態によれば、乳幼児健診及び予防接種の対象者が乳幼児健診を受診する際の所定の受診制約条件と、対象者が予防接種を受ける際の所定の接種制約条件と、を満たし、１又は複数の受診予定日と１又は複数の接種予定日が少なくとも１日重複するスケジュールを作成する。これにより、乳幼児健診及び予防接種のために医療機関を訪れる回数を低減でき、且つ、あらゆる制約に十分に適応するスケジュールを作成することが可能になる。
【００４２】
本発明は、上述した実施形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述した各処理ステップは処理内容に矛盾を生じない範囲で任意に順番を変更し、または並列に実行することができる。
【００４３】
上述の実施形態でスケジュール作成サーバ１が実行している処理の少なくとも一部を、代わりに携帯端末３に実装されているスケジュール作成アプリケーションが実行するようにしてもよい。例えば、利用者情報等とワクチン情報に基づいた接種可能な時期の算出は、スケジュール作成アプリケーションで行うことができる。この場合、スケジュール作成アプリケーションは、携帯端末３に保持された過去の接種状況の情報と、スケジュール作成サーバ１から受信したワクチン情報等とを用いて、接種可能日を算出し、その算出結果に基づいた要求をスケジュール作成サーバ１に送信してもよい。また、上述の実施形態でスケジュール作成サーバ１が実行しているスケジュール作成処理（スケジュール作成部１５が実行する処理）を携帯端末３に実行するように構成されてもよい。
【００４４】
上述の実施形態では、スケジュール作成の要求は通信ネットワークＮを用いて携帯端末３からスケジュール作成サーバ１に送信されるものとしたが、これに限られない。つまり、利用者は、スケジュール作成の希望を、通信ネットワークＮを介さない方法（例えば、電話や口頭）で伝えることができる。また、電子メール等の電子的な通信手段であるがスケジュール作成サーバ１と直接連携しない方法で伝えてもよい。このような場合、スケジュール作成の希望の情報は、スケジュール作成の要求として、例えば医療機関からスケジュール作成サーバ１に入力されてもよい。
【００４５】
本明細書において、「日」とは、特段の記載のない限り、日のみを特定した場合と、日と当該日のうちの特定の時間帯を特定した場合（つまり、日時）のどちらであってもよい。例えば、接種希望日、接種候補日、受診希望日、又は受診候補日として、日付及び時間帯を指定したものも含む。
【００４６】
対象者ごとの接種状況（接種履歴）及び対象者ごとの受診状況（受診履歴）の少なくとも一方の情報は、各自治体が管理する住民健康情報データベース等に提供するようにしてもよい。これにより、各自治体では、住民の接種状況及び受診状況の少なくとも一方の管理を容易かつタイムリーに行うことができる。また、接種対象者へのワクチン接種の催促、受診対象者への乳幼児健診の受診の催促等の連絡を容易に行うことができる。また、自治体側で新たにデータをとりまとめて入力する手間を減らすことができる。
【００４７】
対象者ごとの接種状況及び対象者ごとの受診状況の少なくとも一方の情報の住民健康情報データベース等への提供は、これらの情報が医療機関に保管されている場合には、医療機関から行うことができ、スケジュール作成サーバ１に保管されている場合には、スケジュール作成サーバ１から行うことができる。また、提供の方法は、通信ネットワークＮを介して行われてもよい。
【００４８】
対象者ごとの接種状況及び対象者ごとの受診状況の少なくとも一方の情報は、各医療機関において医師が閲覧できるようにしてもよい。また、医師による閲覧は、利用者による同意を受けている場合にのみ行えるようにしてもよい。また、利用者が指定した医師や医療機関（かかりつけ医など）のみが閲覧できるようにしてもよい。このような閲覧は、例えば、まず、複数の医療機関ごとの接種状況及び受診状況の情報と、それらをマージした接種状況及び受診状況の情報をスケジュール作成サーバ１に保持しておき、他の医療機関における過去の接種履歴及び受診履歴をあわせて確認したい場合には、マージした接種状況及び受診状況の情報を表示させることで、実現することができる。
【００４９】
記録装置１７に保存される制約条件のうち、医師又は医療機関が個別に設定する条件は、医師又は医療機関において任意に書き換え可能であることが好ましい。これにより、適切かつ柔軟にスケジュールを設定することができる。
【００５０】
予防接種または受診が助成の対象となる場合、当該助成が有効な日を優先するようスケジューリングを行うこともできる。例えば、助成の対象となるか否かを接種制約条件又は受診制約条件として保持しておき、接種予定日または受診予定日を調整した場合であっても助成の対象となるように接種予定日または受診予定日を調整することができる。または、当該接種予定日又は受診予定日が助成の対象とならない場合にはアラート等を出してユーザに報知することができる。
【００５１】
本発明のスケジュール作成システムは、ユーザが保有する携帯端末等にインストールされたスケジュール作成アプリケーションを介して動作することに限られない。例えば、ブラウザを介して動作するＷｅｂベースのサービスとして提供されてもよい。
【００５２】
本発明のスケジュール作成条件情報は、予防接種または乳幼児健診の予定以外のユーザまたは対象者のスケジュール情報、例えば、勤務日、休日、就業時間等の情報を含むことができる。このようなスケジュールの情報はスケジュール作成システムに入力されてもよく、外部のスケジューラ等から取得することもできる。
【００５３】
上記実施形態においては、乳幼児健診と予防接種のスケジュールを作成する技術について述べたが、任意のアレルギー検査等の他の検査を受ける場合のスケジュール作成にも適用可能である。
【符号の説明】
【００５４】
１００…スケジュール作成システム
１…スケジュール作成サーバ
３…携帯端末
１１…制御装置
１３…受付部
１５…スケジュール作成部
１７…記録装置
【図１】
2020052984.tif 000003
【図２】
2020052984.tif 000004
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
乳幼児健診の１又は複数の受診予定日と予防接種の１又は複数の接種予定日のスケジュールを作成するコンピュータを、
前記スケジュールの作成の要求を受け付ける受付部、及び、
受け付けた前記要求に基づいて、前記乳幼児健診及び前記予防接種の対象者が前記乳幼児健診を受診する際の所定の受診制約条件と、前記対象者が前記予防接種を受ける際の所定の接種制約条件と、を満たし、前記１又は複数の受診予定日のうちの特定の受診予定日と前記１又は複数の接種予定日のうちの特定の接種予定日との間隔が所定日数以下の場合、前記１又は複数の受診予定日と前記１又は複数の接種予定日が少なくとも１日重複するスケジュールを作成するスケジュール作成部、
として機能させるプログラム。
【請求項２】
前記受付部は、前記１又は複数の受診予定日と前記１又は複数の接種予定日が少なくとも１日重複させるための重複条件を更に受け付け、
前記スケジュール作成部は、前記対象者が複数人の場合に、前記対象者ごとに、前記重複条件を満たすときに、第１対象者に関連づけられるスケジュールに含まれる１又は複数の受診予定日及び１又は複数の接種予定日のうち少なくとも１日と、第２対象者に関連づけられるスケジュールに含まれる１又は複数の受診予定日及び１又は複数の接種予定日のうち少なくとも１日と、を重複させる、
請求項１に記載のプログラム。
【請求項３】
前記対象者の生年月日に基づいて予め設定された前記乳幼児健診の１又は複数の受診予定日と、前記生年月日に基づいて予め設定された前記予防接種の１又は複数の接種予定日と、を記録する記録部として前記コンピュータを機能させ、
前記スケジュール作成部は、受け付けた前記要求に基づいて、前記受診制約条件を満たすように、予め設定された前記乳幼児健診の１又は複数の受診予定日を調整し、前記接種制約条件を満たすように、予め設定された前記予防接種の１又は複数の接種予定日を調整する、
請求項１又は２に記載のプログラム。
【請求項４】
乳幼児健診の１又は複数の受診予定日と予防接種の１又は複数の接種予定日のスケジュールを、コンピュータを用いて作成するスケジュール作成システムであって、
前記スケジュールの作成の要求を受け付ける受付部と、
受け付けた前記要求に基づいて、前記乳幼児健診及び前記予防接種の対象者が前記乳幼児健診を受診する際の所定の受診制約条件と、前記対象者が前記予防接種を受ける際の所定の接種制約条件と、を満たし、前記１又は複数の受診予定日と前記１又は複数の接種予定日が少なくとも１日重複するスケジュールを作成するスケジュール作成部と、
を備える、スケジュール作成システム。
【請求項５】
乳幼児健診の１又は複数の受診予定日と予防接種の１又は複数の接種予定日のスケジュールを作成するコンピュータが、
前記スケジュールの作成の要求を受け付けるステップと、
受け付けた前記要求に基づいて、前記乳幼児健診及び前記予防接種の対象者が前記乳幼児健診を受診する際の所定の受診制約条件と、前記対象者が前記予防接種を受ける際の所定の接種制約条件と、を満たし、前記１又は複数の受診予定日と前記１又は複数の接種予定日が少なくとも１日重複するスケジュールを作成するステップと、
を実行する、スケジュール作成方法。